(57)【要約】【課題】大口径で、高性能かつコンパクトなインナーフォーカスレンズ系、交換レンズ装置及びカメラシステムを提供する。【解決手段】物体側から像側へと順に、最物体側に第１負レンズ素子を備えた第１レンズ群と正パワーの第２レンズ群と負パワーの第３レンズ群とからなり、開口絞りを備え、第１レンズ群、第３レンズ群及び開口絞りはフォーカシングの際に像面に対して固定で、第２レンズ群はフォーカシングの際に像面に対して移動し、条件：ＢＦ／Ｙ＜１．７及びＴＨ／ｆ＞１．６（ＢＦ：最像側に配置されたレンズ素子の像側面の面頂から像面までの距離、Ｙ：最大像高、ＴＨ：最物体側に配置されたレンズ素子の物体側面の面頂から最像側に配置されたレンズ素子の像側面の面頂までの距離、ｆ：無限遠合焦状態における全系の焦点距離）を満足するインナーフォーカスレンズ系、交換レンズ装置及びカメラシステム。【選択図】図１
2014142604.tif 000002
【特許請求の範囲】
【請求項１】
少なくとも１枚のレンズ素子で構成されたレンズ群を複数有するインナーフォーカスレンズ系であって、
物体側から像側へと順に、
最物体側に負のパワーを有する第１レンズ素子を備えた第１レンズ群と、
正のパワーを有する第２レンズ群と、
負のパワーを有する第３レンズ群とからなり、
開口絞りを備え、
前記第１レンズ群、前記第３レンズ群及び前記開口絞りは、無限遠合焦状態から近接物体合焦状態へのフォーカシングの際に、像面に対して固定であり、
前記第２レンズ群は、前記フォーカシングの際に、像面に対して移動し、
以下の条件（１）及び（２）を満足する、インナーフォーカスレンズ系：
ＢＦ／Ｙ＜１．７  ・・・（１）
ＴＨ／ｆ＞１．６  ・・・（２）
ここで、
ＢＦ：レンズ系の最像側に配置されたレンズ素子の像側面の面頂から、像面までの距離、
Ｙ：最大像高、
ＴＨ：レンズ系の最物体側に配置されたレンズ素子の物体側面の面頂から、レンズ系の最像側に配置されたレンズ素子の像側面の面頂までの距離、
ｆ：無限遠合焦状態における全系の焦点距離
である。
【請求項２】
第１レンズ群は、第１レンズ素子の像側に第２レンズ素子を備え、
以下の条件（３）を満足する、請求項１に記載のインナーフォーカスレンズ系：
０＜｜（ｒ２ａ＋ｒ１ｂ）／（ｒ２ａ−ｒ１ｂ）｜＜１  ・・・（３）
ここで、
ｒ１ｂ：第１レンズ素子の像側面の曲率半径、
ｒ２ａ：第２レンズ素子の物体側面の曲率半径
である。
【請求項３】
以下の条件（４）を満足する、請求項１に記載のインナーフォーカスレンズ系：
−２．５＜ｆ２／ｆ３＜−０．２５  ・・・（４）
ここで、
ｆ２：第２レンズ群の焦点距離、
ｆ３：第３レンズ群の焦点距離
である。
【請求項４】
以下の条件（５）を満足する、請求項１に記載のインナーフォーカスレンズ系：
０．２３＜Ｄｍａｘ／Ｙ＜１．３  ・・・（５）
ここで、
Ｄｍａｘ：無限遠合焦状態におけるレンズ系を構成するレンズ素子間の空気間隔のうち最大値、
Ｙ：最大像高
である。
【請求項５】
以下の条件（６）を満足する、請求項１に記載のインナーフォーカスレンズ系：
ｎｄｐ＞１．７９  ・・・（６）
ここで、
ｎｄｐ：正のパワーを有するレンズ素子のうちレンズ系の最物体側に配置されたレンズ素子の、ｄ線に対する屈折率
である。
【請求項６】
以下の条件（７）を満足する、請求項１に記載のインナーフォーカスレンズ系：
（ｒ１ｂ＋ｒ１ａ）／（ｒ１ｂ−ｒ１ａ）＜−１  ・・・（７）
ここで、
ｒ１ａ：第１レンズ素子の物体側面の曲率半径、
ｒ１ｂ：第１レンズ素子の像側面の曲率半径
である。
【請求項７】
以下の条件（８）を満足する、請求項１に記載のインナーフォーカスレンズ系：
｜ｆ１／ｆ｜＜３．０  ・・・（８）
ここで、
ｆ１：第１レンズ群の焦点距離、
ｆ：無限遠合焦状態における全系の焦点距離
である。
【請求項８】
第１レンズ群は、第１レンズ素子の像側に第２レンズ素子を備え、
以下の条件（９）を満足する、請求項１に記載のインナーフォーカスレンズ系：
νｄ１２＞６０  ・・・（９）
ここで、
νｄ１２：第１レンズ素子のｄ線に対するアッベ数及び第２レンズ素子のｄ線に対するアッベ数のうち最大値
である。
【請求項９】
以下の条件（１０）を満足する、請求項１に記載のインナーフォーカスレンズ系：
０．４＜Ｔｓ／Ｌ＜０．８  ・・・（１０）
ここで、
Ｔｓ：開口絞りから像面までの光軸上の距離、
Ｌ：レンズ全長（第１レンズ素子の物体側面から像面までの光軸上の距離）
である。
【請求項１０】
開口絞りは、第２レンズ群よりも物体側に配置される、請求項１に記載のインナーフォーカスレンズ系。
【請求項１１】
第２レンズ群の最物体側に配置されたレンズ素子は、像側に凸面を向けた負のパワーを有するレンズ素子である、請求項１に記載のインナーフォーカスレンズ系。
【請求項１２】
第３レンズ群の最像側に配置されたレンズ素子は、負のパワーを有する、請求項１に記載のインナーフォーカスレンズ系。
【請求項１３】
請求項１に記載のインナーフォーカスレンズ系と、
前記インナーフォーカスレンズ系が形成する光学像を受光して電気的な画像信号に変換する撮像素子を含むカメラ本体との接続が可能なレンズマウント部と
を備える、交換レンズ装置。
【請求項１４】
請求項１に記載のインナーフォーカスレンズ系を含む交換レンズ装置と、
前記交換レンズ装置とカメラマウント部を介して着脱可能に接続され、前記インナーフォーカスレンズ系が形成する光学像を受光して電気的な画像信号に変換する撮像素子を含むカメラ本体と
を備える、カメラシステム。
【発明の詳細な説明】
【技術分野】
【０００１】
本開示は、インナーフォーカスレンズ系、交換レンズ装置及びカメラシステムに関する。
【背景技術】
【０００２】
光電変換を行う撮像素子を持つ交換レンズ装置やカメラシステム等に対するコンパクト化及び高性能化の要求は極めて高く、このような交換レンズ装置やカメラシステムに用いるレンズ系が種々提案されている。
【０００３】
特許文献１は、物体側から順に、正の屈折力を有する第１レンズ群と、正の屈折力を有する第２レンズ群とで構成され、バックフォーカスを短くしたリアフォーカスタイプのインナーフォーカスレンズを開示している。
【０００４】
特許文献２は、物体側から順に、負の屈折力を有する第１レンズ群と、正の屈折力を有する第２レンズ群と、正の屈折力を有する第３レンズ群と、負の屈折力を有する第４レンズ群とで構成され、第２レンズ群と第３レンズ群とでフォーカスを行うインナーフォーカスレンズを開示している。
【先行技術文献】
【特許文献】
【０００５】
【特許文献１】特開２０１１−０７６０２２号公報
【特許文献２】特開２０１１−０６４９１９号公報
【発明の概要】
【発明が解決しようとする課題】
【０００６】
本開示は、大口径でありながら、高性能かつコンパクトなインナーフォーカスレンズ系を提供する。また本開示は、該インナーフォーカスレンズ系を含む交換レンズ装置及び該交換レンズ装置を備えたカメラシステムを提供する。
【課題を解決するための手段】
【０００７】
本開示におけるインナーフォーカスレンズ系は、
少なくとも１枚のレンズ素子で構成されたレンズ群を複数有し、
物体側から像側へと順に、
最物体側に負のパワーを有する第１レンズ素子を備えた第１レンズ群と、
正のパワーを有する第２レンズ群と、
負のパワーを有する第３レンズ群とからなり、
開口絞りを備え、
前記第１レンズ群、前記第３レンズ群及び前記開口絞りは、無限遠合焦状態から近接物体合焦状態へのフォーカシングの際に、像面に対して固定であり、
前記第２レンズ群は、前記フォーカシングの際に、像面に対して移動し、
以下の条件（１）及び（２）：
ＢＦ／Ｙ＜１．７  ・・・（１）
ＴＨ／ｆ＞１．６  ・・・（２）
（ここで、
ＢＦ：レンズ系の最像側に配置されたレンズ素子の像側面の面頂から、像面までの距離、
Ｙ：最大像高、
ＴＨ：レンズ系の最物体側に配置されたレンズ素子の物体側面の面頂から、レンズ系の最像側に配置されたレンズ素子の像側面の面頂までの距離、
ｆ：無限遠合焦状態における全系の焦点距離
である）
を満足する
ことを特徴とする。
【０００８】
本開示における交換レンズ装置は、
少なくとも１枚のレンズ素子で構成されたレンズ群を複数有し、
物体側から像側へと順に、
最物体側に負のパワーを有する第１レンズ素子を備えた第１レンズ群と、
正のパワーを有する第２レンズ群と、
負のパワーを有する第３レンズ群とからなり、
開口絞りを備え、
前記第１レンズ群、前記第３レンズ群及び前記開口絞りは、無限遠合焦状態から近接物体合焦状態へのフォーカシングの際に、像面に対して固定であり、
前記第２レンズ群は、前記フォーカシングの際に、像面に対して移動し、
以下の条件（１）及び（２）：
ＢＦ／Ｙ＜１．７  ・・・（１）
ＴＨ／ｆ＞１．６  ・・・（２）
（ここで、
ＢＦ：レンズ系の最像側に配置されたレンズ素子の像側面の面頂から、像面までの距離、
Ｙ：最大像高、
ＴＨ：レンズ系の最物体側に配置されたレンズ素子の物体側面の面頂から、レンズ系の最像側に配置されたレンズ素子の像側面の面頂までの距離、
ｆ：無限遠合焦状態における全系の焦点距離
である）
を満足するインナーフォーカスレンズ系と、
前記インナーフォーカスレンズ系が形成する光学像を受光して電気的な画像信号に変換する撮像素子を含むカメラ本体との接続が可能なレンズマウント部と
を備える
ことを特徴とする。
【０００９】
本開示におけるカメラシステムは、
少なくとも１枚のレンズ素子で構成されたレンズ群を複数有し、
物体側から像側へと順に、
最物体側に負のパワーを有する第１レンズ素子を備えた第１レンズ群と、
正のパワーを有する第２レンズ群と、
負のパワーを有する第３レンズ群とからなり、
開口絞りを備え、
前記第１レンズ群、前記第３レンズ群及び前記開口絞りは、無限遠合焦状態から近接物体合焦状態へのフォーカシングの際に、像面に対して固定であり、
前記第２レンズ群は、前記フォーカシングの際に、像面に対して移動し、
以下の条件（１）及び（２）：
ＢＦ／Ｙ＜１．７  ・・・（１）
ＴＨ／ｆ＞１．６  ・・・（２）
（ここで、
ＢＦ：レンズ系の最像側に配置されたレンズ素子の像側面の面頂から、像面までの距離、
Ｙ：最大像高、
ＴＨ：レンズ系の最物体側に配置されたレンズ素子の物体側面の面頂から、レンズ系の最像側に配置されたレンズ素子の像側面の面頂までの距離、
ｆ：無限遠合焦状態における全系の焦点距離
である）
を満足するインナーフォーカスレンズ系、を含む交換レンズ装置と、
前記交換レンズ装置とカメラマウント部を介して着脱可能に接続され、前記インナーフォーカスレンズ系が形成する光学像を受光して電気的な画像信号に変換する撮像素子を含むカメラ本体と
を備える
ことを特徴とする。
【発明の効果】
【００１０】
本開示におけるインナーフォーカスレンズ系は、大口径でありながら、高性能かつコンパクトである。
【図面の簡単な説明】
【００１１】
【図１】実施の形態１（数値実施例１）に係るインナーフォーカスレンズ系の無限遠合焦状態を示すレンズ配置図
【図２】数値実施例１に係るインナーフォーカスレンズ系の無限遠合焦状態の縦収差図
【図３】実施の形態２（数値実施例２）に係るインナーフォーカスレンズ系の無限遠合焦状態を示すレンズ配置図
【図４】数値実施例２に係るインナーフォーカスレンズ系の無限遠合焦状態の縦収差図
【図５】実施の形態３（数値実施例３）に係るインナーフォーカスレンズ系の無限遠合焦状態を示すレンズ配置図
【図６】数値実施例３に係るインナーフォーカスレンズ系の無限遠合焦状態の縦収差図
【図７】数値実施例３に係るインナーフォーカスレンズ系の無限遠合焦状態における、像ぶれ補正を行っていない基本状態及び像ぶれ補正状態での横収差図
【図８】実施の形態４（数値実施例４）に係るインナーフォーカスレンズ系の無限遠合焦状態を示すレンズ配置図
【図９】数値実施例４に係るインナーフォーカスレンズ系の無限遠合焦状態の縦収差図
【図１０】実施の形態５（数値実施例５）に係るインナーフォーカスレンズ系の無限遠合焦状態を示すレンズ配置図
【図１１】数値実施例５に係るインナーフォーカスレンズ系の無限遠合焦状態の縦収差図
【図１２】数値実施例５に係るインナーフォーカスレンズ系の無限遠合焦状態における、像ぶれ補正を行っていない基本状態及び像ぶれ補正状態での横収差図
【図１３】実施の形態６（数値実施例６）に係るインナーフォーカスレンズ系の無限遠合焦状態を示すレンズ配置図
【図１４】数値実施例６に係るインナーフォーカスレンズ系の無限遠合焦状態の縦収差図
【図１５】実施の形態７（数値実施例７）に係るインナーフォーカスレンズ系の無限遠合焦状態を示すレンズ配置図
【図１６】数値実施例７に係るインナーフォーカスレンズ系の無限遠合焦状態の縦収差図
【図１７】実施の形態８（数値実施例８）に係るインナーフォーカスレンズ系の無限遠合焦状態を示すレンズ配置図
【図１８】数値実施例８に係るインナーフォーカスレンズ系の無限遠合焦状態の縦収差図
【図１９】実施の形態９（数値実施例９）に係るインナーフォーカスレンズ系の無限遠合焦状態を示すレンズ配置図
【図２０】数値実施例９に係るインナーフォーカスレンズ系の無限遠合焦状態の縦収差図
【図２１】実施の形態１０に係るレンズ交換式デジタルカメラシステムの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜９）
図１、３、５、８、１０、１３、１５、１７及び１９は、各々実施の形態１〜９に係るインナーフォーカスレンズ系の無限遠合焦状態を示すレンズ配置図である。
【００１５】
実施の形態１〜８に係るインナーフォーカスレンズ系は、物体側から像側へと順に、正のパワーを有する第１レンズ群Ｇ１と、正のパワーを有する第２レンズ群Ｇ２と、負のパワーを有する第３レンズ群Ｇ３とからなり、第２レンズ群Ｇ２よりも物体側に、開口絞りＡが配置されている。実施の形態９に係るインナーフォーカスレンズ系は、物体側から像側へと順に、負のパワーを有する第１レンズ群Ｇ１と、正のパワーを有する第２レンズ群Ｇ２と、負のパワーを有する第３レンズ群Ｇ３とからなり、第２レンズ群Ｇ２よりも物体側に、開口絞りＡが配置されている。
【００１６】
各図において、レンズ群に付された矢印は、無限遠合焦状態から近接物体合焦状態へのフォーカシングを表す。すなわち、第２レンズ群Ｇ２が無限遠合焦状態から近接物体合焦状態へのフォーカシングの際に移動する方向を示している。なお、該フォーカシングの際に、第１レンズ群Ｇ１、第３レンズ群Ｇ３及び開口絞りＡは移動しない。
【００１７】
各図において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１８】
図５及び１０において、第８レンズ素子Ｌ８に付された両矢印は、該第８レンズ素子Ｌ８が全系の振動による像点移動を補正する際に移動する方向（光軸に直交する方向）を示している。
【００１９】
（実施の形態１）
図１に示すように、第１レンズ群Ｇ１は、物体側から像側へと順に、物体側に凸面を向けた負メニスカス形状の第１レンズ素子Ｌ１と、像側に凸面を向けた負メニスカス形状の第２レンズ素子Ｌ２と、両凸形状の第３レンズ素子Ｌ３と、開口絞りＡと、両凹形状の第４レンズ素子Ｌ４と、両凸形状の第５レンズ素子Ｌ５と、両凹形状の第６レンズ素子Ｌ６と、両凸形状の第７レンズ素子Ｌ７とからなる。これらのうち、第４レンズ素子Ｌ４と第５レンズ素子Ｌ５とが接合されており、第６レンズ素子Ｌ６と第７レンズ素子Ｌ７とが接合されている。また、第１レンズ素子Ｌ１は、その像側面が非球面であり、第４レンズ素子Ｌ４は、その物体側面が非球面であり、第６レンズ素子Ｌ６は、その物体側面が非球面である。
【００２０】
第２レンズ群Ｇ２は、両凸形状の第８レンズ素子Ｌ８のみからなる。該第２レンズ群Ｇ２を光軸に沿って物体側へ移動させることにより、無限遠合焦状態から近接物体合焦状態へのフォーカシングを行う。
【００２１】
第３レンズ群Ｇ３は、像側に凸面を向けた負メニスカス形状の第９レンズ素子Ｌ９のみからなる。
【００２２】
（実施の形態２）
図３に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、両凹形状の第４レンズ素子Ｌ４と、両凸形状の第５レンズ素子Ｌ５と、開口絞りＡとからなる。これらのうち、第４レンズ素子Ｌ４と第５レンズ素子Ｌ５とが接合されている。また、第２レンズ素子Ｌ２は、その物体側面が非球面である。
【００２３】
第２レンズ群Ｇ２は、物体側から像側へと順に、像側に凸面を向けた負メニスカス形状の第６レンズ素子Ｌ６と、像側に凸面を向けた正メニスカス形状の第７レンズ素子Ｌ７と、像側に凸面を向けた正メニスカス形状の第８レンズ素子Ｌ８とからなる。これらのうち、第６レンズ素子Ｌ６は、その物体側面が非球面である。該第２レンズ群Ｇ２を光軸に沿って物体側へ移動させることにより、無限遠合焦状態から近接物体合焦状態へのフォーカシングを行う。
【００２４】
第３レンズ群Ｇ３は、両凹形状の第９レンズ素子Ｌ９のみからなる。
【００２５】
（実施の形態３）
図５に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、両凹形状の第４レンズ素子Ｌ４と、両凸形状の第５レンズ素子Ｌ５と、両凹形状の第６レンズ素子Ｌ６と、物体側に凸面を向けた正メニスカス形状の第７レンズ素子Ｌ７と、開口絞りＡと、物体側に凸面を向けた正メニスカス形状の第８レンズ素子Ｌ８とからなる。これらのうち、第２レンズ素子Ｌ２と第３レンズ素子Ｌ３とが接合されており、第５レンズ素子Ｌ５と第６レンズ素子Ｌ６と第７レンズ素子Ｌ７とが接合されている。また、正のパワーを有する単レンズ素子である第８レンズ素子Ｌ８を光軸に直交する方向に移動させることによって、全系の振動による像点移動を補正する、すなわち、手ぶれ、振動等による像のぶれを光学的に補正することができる。
【００２６】
第２レンズ群Ｇ２は、物体側から像側へと順に、像側に凸面を向けた負メニスカス形状の第９レンズ素子Ｌ９と、両凸形状の第１０レンズ素子Ｌ１０とからなる。これらのうち、第９レンズ素子Ｌ９は、その物体側面が非球面である。該第２レンズ群Ｇ２を光軸に沿って物体側へ移動させることにより、無限遠合焦状態から近接物体合焦状態へのフォーカシングを行う。
【００２７】
第３レンズ群Ｇ３は、物体側から像側へと順に、像側に凸面を向けた負メニスカス形状の第１１レンズ素子Ｌ１１と、像側に凸面を向けた負メニスカス形状の第１２レンズ素子Ｌ１２とからなる。これらのうち、第１２レンズ素子Ｌ１２は、その両面が非球面である。
【００２８】
（実施の形態４）
図８に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、両凹形状の第４レンズ素子Ｌ４と、両凸形状の第５レンズ素子Ｌ５と、開口絞りＡとからなる。これらのうち、第４レンズ素子Ｌ４と第５レンズ素子Ｌ５とが接合されている。また、第２レンズ素子Ｌ２は、その物体側面が非球面である。
【００２９】
第２レンズ群Ｇ２は、物体側から像側へと順に、像側に凸面を向けた負メニスカス形状の第６レンズ素子Ｌ６と、像側に凸面を向けた正メニスカス形状の第７レンズ素子Ｌ７と、像側に凸面を向けた正メニスカス形状の第８レンズ素子Ｌ８とからなる。これらのうち、第６レンズ素子Ｌ６は、その物体側面が非球面である。該第２レンズ群Ｇ２を光軸に沿って物体側へ移動させることにより、無限遠合焦状態から近接物体合焦状態へのフォーカシングを行う。
【００３０】
第３レンズ群Ｇ３は、両凹形状の第９レンズ素子Ｌ９のみからなる。
【００３１】
（実施の形態５）
図１０に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、両凸形状の第４レンズ素子Ｌ４と、両凹形状の第５レンズ素子Ｌ５と、開口絞りＡと、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第２レンズ素子Ｌ２と第３レンズ素子Ｌ３とが接合されており、第４レンズ素子Ｌ４と第５レンズ素子Ｌ５とが接合されており、第６レンズ素子Ｌ６と第７レンズ素子Ｌ７とが接合されている。また、正のパワーを有する単レンズ素子である第８レンズ素子Ｌ８を光軸に直交する方向に移動させることによって、全系の振動による像点移動を補正する、すなわち、手ぶれ、振動等による像のぶれを光学的に補正することができる。
【００３２】
第２レンズ群Ｇ２は、物体側から像側へと順に、両凹形状の第９レンズ素子Ｌ９と、両凸形状の第１０レンズ素子Ｌ１０とからなる。これらのうち、第９レンズ素子Ｌ９は、その物体側面が非球面である。該第２レンズ群Ｇ２を光軸に沿って物体側へ移動させることにより、無限遠合焦状態から近接物体合焦状態へのフォーカシングを行う。
【００３３】
第３レンズ群Ｇ３は、物体側から像側へと順に、像側に凸面を向けた正メニスカス形状の第１１レンズ素子Ｌ１１と、像側に凸面を向けた負メニスカス形状の第１２レンズ素子Ｌ１２とからなる。これら第１１レンズ素子Ｌ１１と第１２レンズ素子Ｌ１２とが接合されている。また、第１２レンズ素子Ｌ１２は、その像側面が非球面である。
【００３４】
（実施の形態６）
図１３に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、両凹形状の第４レンズ素子Ｌ４と、両凸形状の第５レンズ素子Ｌ５と、両凹形状の第６レンズ素子Ｌ６と、両凸形状の第７レンズ素子Ｌ７と、開口絞りＡとからなる。これらのうち、第２レンズ素子Ｌ２と第３レンズ素子Ｌ３とが接合されており、第５レンズ素子Ｌ５と第６レンズ素子Ｌ６と第７レンズ素子Ｌ７とが接合されている。
【００３５】
第２レンズ群Ｇ２は、物体側から像側へと順に、像側に凸面を向けた負メニスカス形状の第８レンズ素子Ｌ８と、像側に凸面を向けた正メニスカス形状の第９レンズ素子Ｌ９とからなる。これらのうち、第８レンズ素子Ｌ８は、その物体側面が非球面である。該第２レンズ群Ｇ２を光軸に沿って物体側へ移動させることにより、無限遠合焦状態から近接物体合焦状態へのフォーカシングを行う。
【００３６】
第３レンズ群Ｇ３は、物体側から像側へと順に、像側に凸面を向けた正メニスカス形状の第１０レンズ素子Ｌ１０と、像側に凸面を向けた負メニスカス形状の第１１レンズ素子Ｌ１１とからなる。これらのうち、第１１レンズ素子Ｌ１１は、その両面が非球面である。
【００３７】
（実施の形態７）
図１５に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、像側に凸面を向けた負メニスカス形状の第４レンズ素子Ｌ４と、像側に凸面を向けた正メニスカス形状の第５レンズ素子Ｌ５と、開口絞りＡとからなる。これらのうち、第４レンズ素子Ｌ４と第５レンズ素子Ｌ５とが接合されている。また、第１レンズ素子Ｌ１は、その像側面が非球面である。
【００３８】
第２レンズ群Ｇ２は、物体側から像側へと順に、両凹形状の第６レンズ素子Ｌ６と、像側に凸面を向けた正メニスカス形状の第７レンズ素子Ｌ７と、像側に凸面を向けた正メニスカス形状の第８レンズ素子Ｌ８とからなる。これらのうち、第６レンズ素子Ｌ６は、その物体側面が非球面である。該第２レンズ群Ｇ２を光軸に沿って物体側へ移動させることにより、無限遠合焦状態から近接物体合焦状態へのフォーカシングを行う。
【００３９】
第３レンズ群Ｇ３は、両凹形状の第９レンズ素子Ｌ９のみからなる。
【００４０】
（実施の形態８）
図１７に示すように、第１レンズ群Ｇ１は、物体側から像側へと順に、物体側に凸面を向けた負メニスカス形状の第１レンズ素子Ｌ１と、像側に凸面を向けた負メニスカス形状の第２レンズ素子Ｌ２と、両凸形状の第３レンズ素子Ｌ３と、開口絞りＡと、両凹形状の第４レンズ素子Ｌ４と、両凸形状の第５レンズ素子Ｌ５と、像側に凸面を向けた負メニスカス形状の第６レンズ素子Ｌ６と、両凸形状の第７レンズ素子Ｌ７とからなる。これらのうち、第４レンズ素子Ｌ４と第５レンズ素子Ｌ５とが接合されている。また、第１レンズ素子Ｌ１は、その像側面が非球面であり、第４レンズ素子Ｌ４は、その物体側面が非球面であり、第６レンズ素子Ｌ６は、その物体側面が非球面である。
【００４１】
第２レンズ群Ｇ２は、両凸形状の第８レンズ素子Ｌ８のみからなる。該第２レンズ群Ｇ２を光軸に沿って物体側へ移動させることにより、無限遠合焦状態から近接物体合焦状態へのフォーカシングを行う。
【００４２】
第３レンズ群Ｇ３は、像側に凸面を向けた負メニスカス形状の第９レンズ素子Ｌ９のみからなる。
【００４３】
（実施の形態９）
図１９に示すように、第１レンズ群Ｇ１は、物体側から像側へと順に、物体側に凸面を向けた負メニスカス形状の第１レンズ素子Ｌ１と、両凹形状の第２レンズ素子Ｌ２と、両凸形状の第３レンズ素子Ｌ３と、両凹形状の第４レンズ素子Ｌ４と、両凸形状の第５レンズ素子Ｌ５と、開口絞りＡとからなる。これらのうち、第３レンズ素子Ｌ３と第４レンズ素子Ｌ４と第５レンズ素子Ｌ５とが接合されている。また、第１レンズ素子Ｌ１は、その像側面が非球面である。
【００４４】
第２レンズ群Ｇ２は、物体側から像側へと順に、両凹形状の第６レンズ素子Ｌ６と、像側に凸面を向けた正メニスカス形状の第７レンズ素子Ｌ７と、像側に凸面を向けた正メニスカス形状の第８レンズ素子Ｌ８とからなる。これらのうち、第６レンズ素子Ｌ６は、その物体側面が非球面である。該第２レンズ群Ｇ２を光軸に沿って物体側へ移動させることにより、無限遠合焦状態から近接物体合焦状態へのフォーカシングを行う。
【００４５】
第３レンズ群Ｇ３は、物体側に凸面を向けた負メニスカス形状の第９レンズ素子Ｌ９のみからなる。
【００４６】
実施の形態１〜９に係るインナーフォーカスレンズ系は、物体側から像側へと順に、最物体側に負のパワーを有する第１レンズ素子Ｌ１を備えた第１レンズ群Ｇ１と、正のパワーを有する第２レンズ群Ｇ２と、負のパワーを有する第３レンズ群Ｇ３とからなり、開口絞りＡを備え、これら第１レンズ群Ｇ１、第３レンズ群Ｇ３及び開口絞りＡは、無限遠合焦状態から近接物体合焦状態へのフォーカシングの際に像面Ｓに対して固定であり、第２レンズ群Ｇ２は、該フォーカシングの際に像面Ｓに対して移動する（以下、このレンズ構成を、実施の形態の基本構成という）。
【００４７】
このように、実施の形態１〜９に係るインナーフォーカスレンズ系では、最物体側に負のパワーを有する第１レンズ素子Ｌ１を配置している。これにより、像側主点を像面Ｓ側に近づけることができるので、充分な収差補正を行いながらも、光学系の小型化を図ることができる。
【００４８】
実施の形態１〜９に係るインナーフォーカスレンズ系では、第１レンズ群Ｇ１、第３レンズ群Ｇ３及び開口絞りＡはフォーカシングの際に像面Ｓに対して固定である。これにより、フォーカス機構を簡略化することが可能であり、コンパクトなレンズ鏡筒や交換レンズ装置及びカメラシステムを提供することができる。
【００４９】
実施の形態１〜９に係るインナーフォーカスレンズ系では、第２レンズ群Ｇ２が正のパワーを有している。これにより、フォーカシングにおける像ゆれが小さい光学系を得ることができる。
【００５０】
実施の形態１〜９に係るインナーフォーカスレンズ系では、第３レンズ群Ｇ３が負のパワーを有している。これにより、フォーカシングに伴う像面湾曲を良好に補正することができる。
【００５１】
以上のように、本出願において開示する技術の例示として、実施の形態１〜９を説明した。しかしながら、本開示における技術は、これに限定されず、適宜、変更、置き換え、付加、省略などを行った実施の形態にも適用可能である。
【００５２】
以下、例えば実施の形態１〜９に係るインナーフォーカスレンズ系のごときインナーフォーカスレンズ系が満足することが可能な条件を説明する。なお、各実施の形態に係るインナーフォーカスレンズ系に対して、複数の可能な条件が規定されるが、これら複数の条件すべてを満足するインナーフォーカスレンズ系の構成が最も効果的である。しかしながら、個別の条件を満足することにより、それぞれ対応する効果を奏するインナーフォーカスレンズ系を得ることも可能である。
【００５３】
例えば実施の形態１〜９に係るインナーフォーカスレンズ系のように、基本構成を有するインナーフォーカスレンズ系は、以下の条件（１）及び（２）を満足する。
ＢＦ／Ｙ＜１．７  ・・・（１）
ＴＨ／ｆ＞１．６  ・・・（２）
ここで、
ＢＦ：レンズ系の最像側に配置されたレンズ素子の像側面の面頂から、像面までの距離、
Ｙ：最大像高、
ＴＨ：レンズ系の最物体側に配置されたレンズ素子の物体側面の面頂から、レンズ系の最像側に配置されたレンズ素子の像側面の面頂までの距離、
ｆ：無限遠合焦状態における全系の焦点距離
である。
【００５４】
前記条件（１）は、レンズ系のバックフォーカスの長さと最大像高との比を規定する条件である。条件（１）の上限を上回ると、バックフォーカスが長くなり、レンズ系の小型化が困難となる。
【００５５】
以下の条件（１）’を満足することにより、前記効果をさらに奏功させることができる。
ＢＦ／Ｙ＜１．６５  ・・・（１）’
【００５６】
前記条件（２）は、最物体側レンズ素子の物体側面から最像側レンズ素子の像側面までの距離と、無限遠合焦状態における全系の焦点距離との比を規定する条件である。条件（２）の下限を下回ると、大口径化に伴う球面収差及び非点収差の補正が困難となる。
【００５７】
以下の条件（２）’を満足することにより、前記効果をさらに奏功させることができる。
ＴＨ／ｆ＞１．６５  ・・・（２）’
【００５８】
例えば実施の形態１〜９に係るインナーフォーカスレンズ系のように、基本構成を有し、第１レンズ群が第１レンズ素子の像側に第２レンズ素子を備えるインナーフォーカスレンズ系は、以下の条件（３）を満足することが有益である。
０＜｜（ｒ２ａ＋ｒ１ｂ）／（ｒ２ａ−ｒ１ｂ）｜＜１  ・・・（３）
ここで、
ｒ１ｂ：第１レンズ素子の像側面の曲率半径、
ｒ２ａ：第２レンズ素子の物体側面の曲率半径
である。
【００５９】
前記条件（３）は、第１レンズ素子と第２レンズ素子との間に形成される空気レンズの形状に関する条件である。条件（３）の上限を上回ると、大口径化に伴う非点収差の補正が困難となるため、大口径化の要求に応えることが困難となる。
【００６０】
以下の条件（３）’を満足することにより、前記効果をさらに奏功させることができる。
０＜｜（ｒ２ａ＋ｒ１ｂ）／（ｒ２ａ−ｒ１ｂ）｜＜０．８  ・・・（３）’
【００６１】
以下の条件（３）’’を満足することにより、前記効果をより一層奏功させることができる。
０＜｜（ｒ２ａ＋ｒ１ｂ）／（ｒ２ａ−ｒ１ｂ）｜＜０．６  ・・・（３）’’
【００６２】
例えば実施の形態１〜８に係るインナーフォーカスレンズ系のように、基本構成を有するインナーフォーカスレンズ系は、以下の条件（４）を満足することが有益である。
−２．５＜ｆ２／ｆ３＜−０．２５  ・・・（４）
ここで、
ｆ２：第２レンズ群の焦点距離、
ｆ３：第３レンズ群の焦点距離
である。
【００６３】
前記条件（４）は、第２レンズ群の焦点距離と第３レンズ群の焦点距離との比を規定する条件である。条件（４）の上限を上回ると、第３レンズ群のパワーが弱くなり、バックフォーカスを短くすることが困難となり、レンズ系の小型化及びコンパクトなレンズ鏡筒の提供が困難となる。条件（４）の下限を下回ると、第２レンズ群のパワーが強くなり、フォーカシング時の像面湾曲の補正が困難となる。
【００６４】
以下の条件（４−１）’及び（４−２）’の少なくとも１つを満足することにより、前記効果をさらに奏功させることができる。
−１．３＜ｆ２／ｆ３  ・・・（４−１）’
ｆ２／ｆ３＜−０．３５  ・・・（４−２）’
【００６５】
以下の条件（４−１）’’及び（４−２）’’の少なくとも１つを満足することにより、前記効果をより一層奏功させることができる。
−０．９＜ｆ２／ｆ３  ・・・（４−１）’’
ｆ２／ｆ３＜−０．４  ・・・（４−２）’’
【００６６】
以下の条件（４−１）’’’及び（４−２）’’’の少なくとも１つを満足することにより、前記効果を特に奏功させることができる。
−０．７＜ｆ２／ｆ３  ・・・（４−１）’’’
ｆ２／ｆ３＜−０．４５  ・・・（４−２）’’’
【００６７】
例えば実施の形態１〜９に係るインナーフォーカスレンズ系のように、基本構成を有するインナーフォーカスレンズ系は、以下の条件（５）を満足することが有益である。
０．２３＜Ｄｍａｘ／Ｙ＜１．３  ・・・（５）
ここで、
Ｄｍａｘ：無限遠合焦状態におけるレンズ系を構成するレンズ素子間の空気間隔のうち最大値、
Ｙ：最大像高
である。
【００６８】
前記条件（５）は、無限遠合焦状態におけるレンズ素子間の最大空気間隔に関する条件である。条件（５）の上限を上回ると、レンズ系の小型化及びコンパクトなレンズ鏡筒の提供が困難となる。条件（５）の下限を下回ると、歪曲収差の補正が困難となる。
【００６９】
以下の条件（５−１）’及び（５−２）’の少なくとも１つを満足することにより、前記効果をさらに奏功させることができる。
０．４＜Ｄｍａｘ／Ｙ  ・・・（５−１）’
Ｄｍａｘ／Ｙ＜１．１  ・・・（５−２）’
【００７０】
以下の条件（５−１）’’及び（５−２）’’の少なくとも１つを満足することにより、前記効果をより一層奏功させることができる。
０．６＜Ｄｍａｘ／Ｙ  ・・・（５−１）’’
Ｄｍａｘ／Ｙ＜０．９  ・・・（５−２）’’
【００７１】
例えば実施の形態１〜９に係るインナーフォーカスレンズ系のように、基本構成を有するインナーフォーカスレンズ系は、以下の条件（６）を満足することが有益である。
ｎｄｐ＞１．７９  ・・・（６）
ここで、
ｎｄｐ：正のパワーを有するレンズ素子のうちレンズ系の最物体側に配置されたレンズ素子の、ｄ線に対する屈折率
である。
【００７２】
前記条件（６）は、正のパワーを有するレンズ素子のうちレンズ系の最物体側に配置されたレンズ素子の屈折率を規定する条件である。条件（６）の下限を下回ると、最物体側に配置された正のパワーを有するレンズ素子の曲率半径が小さくなり、第１レンズ素子で発生する像面湾曲の補正が困難となる。
【００７３】
以下の条件（６）’を満足することにより、前記効果をさらに奏功させることができる。
ｎｄｐ＞１．９  ・・・（６）’
【００７４】
例えば実施の形態１〜９に係るインナーフォーカスレンズ系のように、基本構成を有するインナーフォーカスレンズ系は、以下の条件（７）を満足することが有益である。
（ｒ１ｂ＋ｒ１ａ）／（ｒ１ｂ−ｒ１ａ）＜−１  ・・・（７）
ここで、
ｒ１ａ：第１レンズ素子の物体側面の曲率半径、
ｒ１ｂ：第１レンズ素子の像側面の曲率半径
である。
【００７５】
前記条件（７）は、第１レンズ素子の形状に関する条件である。条件（７）の上限を上回ると、歪曲収差の補正が困難となる。
【００７６】
以下の条件（７）’を満足することにより、前記効果をさらに奏功させることができる。
（ｒ１ｂ＋ｒ１ａ）／（ｒ１ｂ−ｒ１ａ）＜−１．６  ・・・（７）’
【００７７】
例えば実施の形態１〜９に係るインナーフォーカスレンズ系のように、基本構成を有するインナーフォーカスレンズ系は、以下の条件（８）を満足することが有益である。
｜ｆ１／ｆ｜＜３．０  ・・・（８）
ここで、
ｆ１：第１レンズ群の焦点距離、
ｆ：無限遠合焦状態における全系の焦点距離
である。
【００７８】
前記条件（８）は、第１レンズ群の焦点距離と全系の焦点距離との比を規定する条件である。条件（８）の上限を上回ると、第１レンズ群のパワーが弱くなり、レンズ系の小型化が困難となる。
【００７９】
以下の条件（８）’を満足することにより、前記効果をさらに奏功させることができる。
｜ｆ１／ｆ｜＜２．０  ・・・（８）’
【００８０】
以下の条件（８）’’を満足することにより、前記効果をより一層奏功させることができる。
｜ｆ１／ｆ｜＜１．６  ・・・（８）’’
【００８１】
例えば実施の形態１〜９に係るインナーフォーカスレンズ系のように、基本構成を有し、第１レンズ群が第１レンズ素子の像側に第２レンズ素子を備えるインナーフォーカスレンズ系は、以下の条件（９）を満足することが有益である。
νｄ１２＞６０  ・・・（９）
ここで、
νｄ１２：第１レンズ素子のｄ線に対するアッベ数及び第２レンズ素子のｄ線に対するアッベ数のうち最大値
である。
【００８２】
前記条件（９）は、第１レンズ素子のアッベ数及び第２レンズ素子のアッベ数の最大値を規定する条件である。条件（９）の下限を下回ると、第１レンズ群で発生する倍率色収差の補正が困難となる。
【００８３】
以下の条件（９）’を満足することにより、前記効果をさらに奏功させることができる。
νｄ１２＞７０  ・・・（９）’
【００８４】
例えば実施の形態１〜９に係るインナーフォーカスレンズ系のように、基本構成を有するインナーフォーカスレンズ系は、以下の条件（１０）を満足することが有益である。
０．４＜Ｔｓ／Ｌ＜０．８  ・・・（１０）
ここで、
Ｔｓ：開口絞りから像面までの光軸上の距離、
Ｌ：レンズ全長（第１レンズ素子の物体側面から像面までの光軸上の距離）
である。
【００８５】
前記条件（１０）は、開口絞りから像面までの光軸上の距離とレンズ全長との比を規定する条件である。条件（１０）の下限を下回ると、射出瞳と像面との距離が近くなり、撮像素子を有するカメラにこのレンズ系を適応した際に、像面への集光効率を充分に得ることが困難となる。条件（１０）の上限を上回ると、開口絞りよりも像側に位置するレンズ素子が肥大化してしまい、小型なレンズ系を得ることが困難となる。
【００８６】
以下の条件（１０−１）’及び（１０−２）’の少なくとも１つを満足することにより、前記効果をさらに奏功させることができる。
０．４５＜Ｔｓ／Ｌ  ・・・（１０−１）’
Ｔｓ／Ｌ＜０．６５  ・・・（１０−２）’
【００８７】
例えば実施の形態１〜９に係るインナーフォーカスレンズ系のように、基本構成を有するインナーフォーカスレンズ系では、開口絞りは、第２レンズ群よりも物体側に配置されることが有益である。開口絞りが第２レンズ群よりも物体側に配置されない場合、射出瞳と像面との距離が近くなり、撮像素子を有するカメラにこのレンズ系を適応した際に、像面への集光効率を充分に得ることが困難となる。
【００８８】
例えば実施の形態２〜４及び６に係るインナーフォーカスレンズ系のように、基本構成を有するインナーフォーカスレンズ系では、第２レンズ群の最物体側に配置されたレンズ素子は、像側に凸面を向けた負のパワーを有するレンズ素子であることが有益である。第２レンズ群の最物体側に配置されたレンズ素子が像側に凸面を向けた負のパワーを有するレンズ素子であると、フォーカシングに伴う像面湾曲がより充分に補正される。
【００８９】
例えば実施の形態１〜９に係るインナーフォーカスレンズ系のように、基本構成を有するインナーフォーカスレンズ系では、第３レンズ群の最像側に配置されたレンズ素子は、負のパワーを有することが有益である。第３レンズ群の最像側に配置されたレンズ素子が負のパワーを有さない場合、像面湾曲の補正が困難となる。
【００９０】
実施の形態１〜９に係るインナーフォーカスレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善される。
【００９１】
また、実施の形態１〜９に係るインナーフォーカスレンズ系を構成している各レンズ素子は、ガラスからなるレンズ素子の片面に紫外線硬化性樹脂からなる透明樹脂層を接合した、ハイブリッドレンズであってもよい。その場合、透明樹脂層のパワーは弱いので、ガラスからなるレンズ素子と透明樹脂層とを合わせて１枚のレンズ素子と考える。同様に、平板に近いレンズ素子が配置される場合も、平板に近いレンズ素子のパワーは弱いので、０枚のレンズ素子と考える。
【００９２】
（実施の形態１０）
図２１は、実施の形態１０に係るレンズ交換式デジタルカメラシステムの概略構成図である。
【００９３】
本実施の形態１０に係るレンズ交換式デジタルカメラシステム１００は、カメラ本体１０１と、カメラ本体１０１に着脱自在に接続される交換レンズ装置２０１とを備える。
【００９４】
カメラ本体１０１は、交換レンズ装置２０１のインナーフォーカスレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜９いずれかに係るインナーフォーカスレンズ系２０２と、インナーフォーカスレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２１においては、インナーフォーカスレンズ系２０２として実施の形態１に係るインナーフォーカスレンズ系を用いた場合を図示している。
【００９５】
本実施の形態１０では、実施の形態１〜９いずれかに係るインナーフォーカスレンズ系２０２を用いているので、コンパクトで結像性能に優れた交換レンズ装置を低コストで実現することができる。また、本実施の形態１０に係るカメラシステム１００全体の小型化及び低コスト化も達成することができる。
【００９６】
なお、本実施の形態１０に係るレンズ交換式デジタルカメラシステムでは、インナーフォーカスレンズ系２０２として実施の形態１〜９に係るインナーフォーカスレンズ系を示したが、これらのインナーフォーカスレンズ系は、全てのフォーカシング域を使用しなくてもよい。すなわち、所望のフォーカシング域に応じて、光学性能が確保されている範囲を切り出して使用してもよい。
【００９７】
また、以上説明した実施の形態１〜９に係るインナーフォーカスレンズ系と、ＣＣＤやＣＭＯＳ等の撮像素子とから構成される交換レンズ装置を、デジタルスチルカメラ、デジタルビデオカメラ、スマートフォン等の携帯情報端末のカメラ、監視システムにおける監視カメラ、Ｗｅｂカメラ、車載カメラ等に適用することもできる。
【００９８】
以上のように、本出願において開示する技術の例示として、実施の形態１０を説明した。しかしながら、本開示における技術は、これに限定されず、適宜、変更、置き換え、付加、省略などを行った実施の形態にも適用可能である。
【００９９】
以下、実施の形態１〜９に係るインナーフォーカスレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014142604.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１００】
図２、４、６、９、１１、１４、１６、１８及び２０は、各々数値実施例１〜９に係るインナーフォーカスレンズ系の無限遠合焦状態の縦収差図である。
【０１０１】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０２】
図７及び１２は、各々数値実施例３及び５に係るインナーフォーカスレンズ系の無限遠合焦状態における横収差図である。
【０１０３】
各横収差図において、上段３つの収差図は、無限遠合焦状態における像ぶれ補正を行っていない基本状態、下段３つの収差図は、第８レンズ素子Ｌ８を光軸と垂直な方向に所定量移動させた無限遠合焦状態における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第２レンズ群Ｇ２の光軸と第３レンズ群Ｇ３の光軸とを含む平面としている。
【０１０４】
なお、数値実施例３及び５のインナーフォーカスレンズ系について、無限遠合焦状態における、像ぶれ補正状態での第８レンズ素子Ｌ８の光軸と垂直な方向への移動量は、いずれも０．０２２ｍｍである。
【０１０５】
撮影距離が無限遠で、インナーフォーカスレンズ系が０．４°だけ傾いた場合の像偏心量は、第８レンズ素子Ｌ８が光軸と垂直な方向に上記値だけ平行移動するときの像偏心量に等しい。
【０１０６】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、インナーフォーカスレンズ系の像ぶれ補正角が同じ場合には、インナーフォーカスレンズ系全体の焦点距離が短くなるにつれて、像ぶれ補正に必要な平行移動量が減少する。したがって、いずれのフォーカス位置であっても、０．４°までの像ぶれ補正角に対して、結像特性を低下させることなく充分な像ぶれ補正を行うことが可能である。
【０１０７】
（数値実施例１）
数値実施例１のインナーフォーカスレンズ系は、図１に示した実施の形態１に対応する。数値実施例１のインナーフォーカスレンズ系の面データを表１に、非球面データを表２に、各種データを表３に、レンズ群データを表４に示す。
【０１０８】
表  １（面データ）
面番号         r           d           nd         vd                
物面             ∞                                               
1          1.42770     0.05150     1.52500    70.3               
2*         0.54510     0.49150                                   
3         -1.62210     0.03440     1.56732    42.8               
4        -19.34100     0.00430                                   
5          1.01280     0.22550     1.80420    46.5               
6         -2.88650     0.06440                                   
7(絞り)           ∞     0.10740                                   
8*        -1.95140     0.04300     1.68400    31.3               
9          0.44210     0.31650     1.91082    35.2               
10         -1.73190     0.20620                                   
11*        -0.70260     0.04730     2.00178    19.3               
12         71.04730     0.14110     1.80420    46.5               
13         -1.09670     0.14950                                   
14          5.89790     0.25770     2.00069    25.5               
15         -1.35350     0.16780                                   
16         -1.15870     0.05150     1.80518    25.5               
17         -3.80540        (BF)                                   
像面             ∞                                               
【０１０９】
表  ２（非球面データ）
第2面
K= 0.00000E+00, A4= 2.76459E-04, A6= 3.09254E-01, A8=-3.54627E+00 
A10= 1.26107E+01, A12= 1.74223E+00 
第8面
K= 0.00000E+00, A4=-2.66915E-01, A6= 2.45018E+00, A8=-4.57864E+01 
A10= 3.24551E+02, A12=-1.16477E+03 
第11面
K= 0.00000E+00, A4=-1.07541E+00, A6= 6.37889E+00, A8=-2.05439E+02 
A10= 1.82080E+03, A12=-8.12350E+03 
【０１１０】
表  ３（各種データ）
焦点距離       1.0000
Ｆナンバー     2.08529
画角        43.7315
像高         0.8590
レンズ全長      2.8310
ＢＦ        0.47144
【０１１１】
表  ４（レンズ群データ）
レンズ群    始面      焦点距離
1         1       1.70077
2        14       1.12001
3        16      -2.08717
【０１１２】
（数値実施例２）
数値実施例２のインナーフォーカスレンズ系は、図３に示した実施の形態２に対応する。数値実施例２のインナーフォーカスレンズ系の面データを表５に、非球面データを表６に、各種データを表７に、レンズ群データを表８に示す。
【０１１３】
表  ５（面データ）
面番号         r           d           nd         vd                
物面             ∞                                               
1          1.88290     0.06010     1.48749    70.4               
2          0.54750     0.43040                                   
3*        -3.70390     0.05150     1.65800    36.9               
4          1.96090     0.03840                                   
5          1.22570     0.14320     2.00100    29.1               
6         -3.96270     0.07930                                   
7         -1.66720     0.05150     1.72825    28.3               
8          0.66220     0.23770     1.80420    46.5               
9         -1.18060     0.06440                                   
10(絞り)           ∞     0.30810                                   
11*        -0.97810     0.04730     1.88661    35.0               
12         -8.73330     0.05630                                   
13         -1.61070     0.10660     1.80420    46.5               
14         -0.76180     0.00430                                   
15         -4.48530     0.25770     1.72916    54.7               
16         -0.67640     0.06440                                   
17         -1.94800     0.05150     1.75211    25.0               
18          7.92070        (BF)                                   
像面             ∞                                               
【０１１４】
表  ６（非球面データ）
第3面
K= 0.00000E+00, A4=-1.45288E-01, A6=-2.74546E-02, A8=-2.30199E+00 
A10= 6.56186E+00, A12=-2.75505E+01 
第11面
K= 0.00000E+00, A4=-1.45027E+00, A6= 1.69490E-01, A8=-5.62269E+01 
A10= 3.35282E+02, A12=-1.59966E+03 
【０１１５】
表  ７（各種データ）
焦点距離       1.0002
Ｆナンバー     2.08222
画角        43.7120
像高         0.8590
レンズ全長      3.0904
ＢＦ        1.03774
【０１１６】
表  ８（レンズ群データ）
レンズ群    始面      焦点距離
1         1       1.50141
2        11       1.02536
3        17      -2.07415
【０１１７】
（数値実施例３）
数値実施例３のインナーフォーカスレンズ系は、図５に示した実施の形態３に対応する。数値実施例３のインナーフォーカスレンズ系の面データを表９に、非球面データを表１０に、各種データを表１１に、レンズ群データを表１２に示す。
【０１１８】
表  ９（面データ）
面番号         r           d           nd         vd                
物面             ∞                                               
1          2.05600     0.06870     1.58913    61.3               
2          0.73690     0.69220                                   
3         -1.69760     0.05160     1.64769    33.8               
4          6.01420     0.20880     2.00100    29.1               
5         -1.48280     0.01980                                   
6         -1.30850     0.05160     1.59551    39.2               
7          6.58200     0.00430                                   
8          1.38450     0.31240     1.83481    42.7               
9         -1.28220     0.04300     1.75211    25.0               
10          0.99470     0.21270     2.00100    29.1               
11         50.16270     0.12220                                   
12(絞り)           ∞     0.08590                                   
13          3.18800     0.07220     1.83481    42.7               
14        140.52280     0.28350                                   
15*        -1.07450     0.03870     1.82115    24.1               
16         -3.60690     0.02430                                   
17         16.27940     0.27500     1.77250    49.6               
18         -0.72670     0.04290                                   
19         -1.24520     0.44440     1.84666    23.8               
20         -1.44480     0.11510                                   
21*        -1.63690     0.04300     1.82115    24.1               
22*        -6.14500        (BF)                                   
像面             ∞                                               
【０１１９】
表  １０（非球面データ）
第15面
K= 0.00000E+00, A4=-8.91809E-01, A6= 1.27191E+00, A8=-3.32429E+01 
A10= 1.80817E+02, A12=-5.18316E+02 
第21面
K= 0.00000E+00, A4=-1.60275E+00, A6= 6.36984E+00, A8=-2.08901E+01 
A10= 3.46768E+01, A12=-2.69215E+01 
第22面
K= 0.00000E+00, A4=-1.44294E+00, A6= 5.52201E+00, A8=-1.57181E+01 
A10= 2.30984E+01, A12=-1.41666E+01 
【０１２０】
表  １１（各種データ）
焦点距離       1.0001
Ｆナンバー     1.45663
画角        43.6782
像高         0.8590
レンズ全長      3.6941
ＢＦ        0.48182
【０１２１】
表  １２（レンズ群データ）
レンズ群    始面      焦点距離
1         1       1.10158
2        15       1.44956
3        19      -2.35646
【０１２２】
（数値実施例４）
数値実施例４のインナーフォーカスレンズ系は、図８に示した実施の形態４に対応する。数値実施例４のインナーフォーカスレンズ系の面データを表１３に、非球面データを表１４に、各種データを表１５に、レンズ群データを表１６に示す。
【０１２３】
表  １３（面データ）
面番号         r           d           nd         vd                
物面             ∞                                               
1          1.29160     0.06010     1.80420    46.5               
2          0.60340     0.40720                                   
3*       -19.32820     0.05150     1.52500    70.3               
4          1.63860     0.24710                                   
5          1.64110     0.12790     2.00100    29.1               
6         -5.47280     0.17050                                   
7         -1.68130     0.05150     1.72825    28.3               
8          0.85730     0.25400     1.80420    46.5               
9         -1.26490     0.07990                                   
10(絞り)           ∞     0.31290                                   
11*        -1.16660     0.04720     1.88661    35.0               
12         -5.65240     0.07600                                   
13         -1.54540     0.09760     1.80420    46.5               
14         -0.82700     0.00430                                   
15         -4.94860     0.25770     1.59349    67.0               
16         -0.67960     0.06490                                   
17         -2.19820     0.05150     1.75211    25.0               
18         12.12360        (BF)                                   
像面             ∞                                               
【０１２４】
表  １４（非球面データ）
第3面
K= 0.00000E+00, A4= 3.02183E-03, A6= 1.64274E-01, A8=-9.88142E-01 
A10= 3.35704E+00, A12=-4.45227E+00 
第11面
K= 0.00000E+00, A4=-1.07672E+00, A6= 7.93832E-01, A8=-4.29162E+01 
A10= 2.74610E+02, A12=-9.74823E+02 
【０１２５】
表  １５（各種データ）
焦点距離       1.0000
Ｆナンバー     2.08425
画角        43.7166
像高         0.8590
レンズ全長      3.6482
ＢＦ        1.28635
【０１２６】
表  １６（レンズ群データ）
レンズ群    始面      焦点距離
1         1       1.62998
2        11       1.22188
3        17      -2.47030
【０１２７】
（数値実施例５）
数値実施例５のインナーフォーカスレンズ系は、図１０に示した実施の形態５に対応する。数値実施例５のインナーフォーカスレンズ系の面データを表１７に、非球面データを表１８に、各種データを表１９に、レンズ群データを表２０に示す。
【０１２８】
表  １７（面データ）
面番号         r           d           nd         vd                
物面             ∞                                               
1          3.47340     0.08590     1.62041    60.3               
2          0.93950     1.04750                                   
3         -1.23800     0.06870     1.84666    23.8               
4          9.69550     0.39830     1.95375    32.3               
5         -1.58500     0.00430                                   
6          1.34180     0.55600     1.81600    46.7               
7         -1.97230     0.05150     1.72825    28.3               
8         47.14330     0.07030                                   
9(絞り)           ∞     0.17180                                   
10         -2.65290     0.05150     1.64769    33.8               
11          1.39610     0.16520     2.00100    29.1               
12          9.83450     0.07490                                   
13          2.09880     0.08810     1.80420    46.5               
14          6.10600     0.27040                                   
15*        -2.91410     0.03870     1.82115    24.1               
16          4.88750     0.09740                                   
17          4.75450     0.33900     1.74330    49.2               
18         -0.87850     0.04290                                   
19         -1.35460     0.25620     1.48749    70.4               
20         -0.74090     0.05150     1.82115    24.1               
21*        -3.04610        (BF)                                   
像面             ∞                                               
【０１２９】
表  １８（非球面データ）
第15面
K= 0.00000E+00, A4=-6.39656E-01, A6= 7.24302E-01, A8=-1.17882E+01 
A10= 5.08219E+01, A12=-9.65294E+01 
第21面
K= 0.00000E+00, A4=-9.70337E-03, A6=-3.89218E-01, A8= 1.16112E+00 
A10=-1.65673E+00, A12= 1.04114E+00 
【０１３０】
表  １９（各種データ）
焦点距離       1.0001
Ｆナンバー     1.24833
画角        43.6641
像高         0.8590
レンズ全長      4.3816
ＢＦ        0.45147
【０１３１】
表  ２０（レンズ群データ）
レンズ群    始面      焦点距離
1         1       0.99566
2        15       1.54126
3        19      -1.83332
【０１３２】
（数値実施例６）
数値実施例６のインナーフォーカスレンズ系は、図１３に示した実施の形態６に対応する。数値実施例６のインナーフォーカスレンズ系の面データを表２１に、非球面データを表２２に、各種データを表２３に、レンズ群データを表２４に示す。
【０１３３】
表  ２１（面データ）
面番号         r           d           nd         vd                
物面             ∞                                               
1          1.24860     0.06010     1.58913    61.3               
2          0.74870     0.72860                                   
3         -2.76070     0.05150     1.64769    33.8               
4          2.51870     0.21940     2.00100    29.1               
5         -2.19620     0.02170                                   
6         -1.78470     0.05150     1.58144    40.9               
7          3.70510     0.05940                                   
8          1.12320     0.25700     1.91082    35.2               
9         -1.85130     0.03440     1.78472    25.7               
10          0.72270     0.20850     1.81600    46.7               
11        -13.96990     0.06440                                   
12(絞り)           ∞     0.29870                                   
13*        -2.50380     0.03870     2.00178    19.3               
14         -9.08710     0.03190                                   
15        -42.28740     0.43470     1.91082    35.2               
16         -0.79080     0.04450                                   
17         -1.17510     0.41740     1.54814    45.8               
18         -0.90890     0.11320                                   
19*        -0.69650     0.04300     2.00178    19.3               
20*        -4.23650        (BF)                                   
像面             ∞                                               
【０１３４】
表  ２２（非球面データ）
第13面
K= 0.00000E+00, A4=-8.73195E-01, A6=-7.86743E-01, A8=-6.38964E+00 
A10=-9.61505E+00, A12= 1.00121E+01 
第19面
K=-4.64708E-01, A4=-8.89109E-01, A6= 5.61149E+00, A8=-1.17940E+01 
A10= 6.81379E+00, A12=-2.12358E-01 
第20面
K= 2.57249E+01, A4=-9.92009E-01, A6= 3.12457E+00, A8=-4.90657E+00 
A10= 1.32791E+00, A12= 1.74827E+00 
【０１３５】
表  ２３（各種データ）
焦点距離       1.0002
Ｆナンバー     1.45910
画角        43.1737
像高         0.8590
レンズ全長      3.3515
ＢＦ        0.17291
【０１３６】
表  ２４（レンズ群データ）
レンズ群    始面      焦点距離
1         1       1.24185
2        13       1.06174
3        17      -0.90526
【０１３７】
（数値実施例７）
数値実施例７のインナーフォーカスレンズ系は、図１５に示した実施の形態７に対応する。数値実施例７のインナーフォーカスレンズ系の面データを表２５に、非球面データを表２６に、各種データを表２７に、レンズ群データを表２８に示す。
【０１３８】
表  ２５（面データ）
面番号         r           d           nd         vd                
物面             ∞                                               
1          1.26000     0.06010     1.88202    37.2               
2*         0.59110     0.39490                                   
3        -44.43790     0.05150     1.48749    70.4               
4          1.41830     0.22050                                   
5          1.38040     0.13920     2.00100    29.1               
6         -4.51390     0.06820                                   
7         -1.52680     0.05150     1.80518    25.5               
8         -8.19450     0.14620     1.60311    60.7               
9         -1.08400     0.18870                                   
10(絞り)           ∞     0.30460                                   
11*        -1.30500     0.04730     1.82115    24.1               
12          9.86480     0.08290                                   
13         -2.26190     0.13780     1.69680    55.5               
14         -0.82060     0.00430                                   
15         -6.53330     0.29130     1.69680    55.5               
16         -0.75990     0.07870                                   
17         -5.85480     0.05150     2.00069    25.5               
18          5.13120        (BF)                                   
像面             ∞                                               
【０１３９】
表  ２６（非球面データ）
第2面
K= 0.00000E+00, A4=-6.96803E-02, A6= 1.06733E-01, A8=-2.79321E+00 
A10= 1.09438E+01, A12=-2.32036E+01 
第11面
K= 0.00000E+00, A4=-1.19748E+00, A6= 6.56409E-01, A8=-3.20657E+01 
A10= 1.69965E+02, A12=-5.87842E+02 
【０１４０】
表  ２７（各種データ）
焦点距離       1.0001
Ｆナンバー     2.08512
画角        42.8216
像高         0.8590
レンズ全長      3.7366
ＢＦ        1.41738
【０１４１】
表  ２８（レンズ群データ）
レンズ群    始面      焦点距離
1         1       2.57086
2        11       1.09941
3        17      -2.72630
【０１４２】
（数値実施例８）
数値実施例８のインナーフォーカスレンズ系は、図１７に示した実施の形態８に対応する。数値実施例８のインナーフォーカスレンズ系の面データを表２９に、非球面データを表３０に、各種データを表３１に、レンズ群データを表３２に示す。
【０１４３】
表  ２９（面データ）
面番号         r           d           nd         vd                
物面             ∞                                               
1          1.00090     0.05150     1.52500    70.3               
2*         0.41420     0.23000                                   
3         -1.36300     0.03440     1.69895    30.0               
4         -3.95790     0.00430                                   
5          0.94110     0.08800     1.80420    46.5               
6         -2.68090     0.06440                                   
7(絞り)           ∞     0.10740                                   
8*        -2.03510     0.04290     1.68893    31.1               
9          0.38270     0.21970     1.91082    35.2               
10         -1.22060     0.17970                                   
11*        -0.72530     0.04720     2.00178    19.3               
12        -11.03210     0.00430                                   
13         19.11330     0.08330     1.80420    46.5               
14         -1.92780     0.15230                                   
15         10.02270     0.24610     2.00100    29.1               
16         -1.10650     0.08890                                   
17         -1.09250     0.05150     1.69895    30.0               
18         -7.05750        (BF)                                   
像面             ∞                                               
【０１４４】
表  ３０（非球面データ）
第2面
K= 0.00000E+00, A4= 5.45151E-02, A6= 2.45062E+01, A8=-4.60967E+02 
A10= 4.77007E+03, A12=-1.48213E+04 
第8面
K= 0.00000E+00, A4= 2.73912E-01, A6= 7.42251E+00, A8=-2.36290E+02 
A10= 3.56354E+03, A12=-2.46044E+04 
第11面
K= 0.00000E+00, A4=-1.99685E+00, A6= 8.49723E+00, A8=-6.37756E+02 
A10= 8.78338E+03, A12=-5.93783E+04 
【０１４５】
表  ３１（各種データ）
焦点距離       0.9998
Ｆナンバー     2.70528
画角        43.7240
像高         0.8590
レンズ全長      2.1879
ＢＦ        0.49203
【０１４６】
表  ３２（レンズ群データ）
レンズ群    始面      焦点距離
1         1       1.56742
2        15       1.00663
3        17      -1.85593
【０１４７】
（数値実施例９）
数値実施例９のインナーフォーカスレンズ系は、図１９に示した実施の形態９に対応する。数値実施例９のインナーフォーカスレンズ系の面データを表３３に、非球面データを表３４に、各種データを表３５に、レンズ群データを表３６に示す。
【０１４８】
表  ３３（面データ）
面番号         r           d           nd         vd       
物面             ∞                                      
1          1.74910     0.06010     1.80139    45.4      
2*         0.65460     0.36230                          
3        -36.82910     0.05150     1.58913    61.3      
4          1.01420     0.00430                          
5          0.90050     0.30700     1.99537    28.5      
6         -1.39630     0.05150     1.97805    20.8      
7          4.20450     0.05860     1.99537    29.1      
8        -29.52010     0.31460                          
9(絞り)           ∞     0.26650                          
10*        -1.43390     0.04730     1.98775    20.7      
11         13.01350     0.00880                          
12        -18.87110     0.37460     1.76004    48.6      
13         -0.85310     0.00430                          
14         -5.93660     0.30260     1.78967    47.1      
15         -0.86920     0.06660                          
16          3.77650     0.05150     1.76108    26.0      
17          1.30060        (BF)                          
像面             ∞                                      
【０１４９】
表  ３４（非球面データ）
第2面
K= 0.00000E+00, A4=-9.55427E-02, A6= 3.43777E-01, A8=-4.45570E+00 
A10= 1.55699E+01, A12=-2.65335E+01 
第10面
K= 0.00000E+00, A4=-1.32383E+00, A6= 1.84372E+00, A8=-6.54946E+01 
A10= 4.24955E+02, A12=-1.62907E+03
【０１５０】
表  ３５（各種データ）
焦点距離       0.9999
Ｆナンバー     2.08404
画角        42.8528
像高         0.8590
レンズ全長      3.7372
ＢＦ        1.40512
【０１５１】
表  ３６（レンズ群データ）
レンズ群    始面      焦点距離
1         1     -0.023282
2        10       1.16789
3        16      -0.38017
【０１５２】
以下の表３７に、各数値実施例のインナーフォーカスレンズ系における各条件の対応値を示す。
【０１５３】
表  ３７（条件の対応値）
【表１】
2014142604.tif 000004
【０１５４】
以上のように、本開示における技術の例示として、実施の形態を説明した。そのために、添付図面および詳細な説明を提供した。
【０１５５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５６】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５７】
本開示は、デジタルスチルカメラ、デジタルビデオカメラ、スマートフォン等の携帯情報端末のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【符号の説明】
【０１５８】
Ｇ１    第１レンズ群
Ｇ２    第２レンズ群
Ｇ３    第３レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  インナーフォーカスレンズ系
２０３  鏡筒
２０４  レンズマウント部
【図１】
2014142604.tif 000005
【図２】
2014142604.tif 000006
【図３】
2014142604.tif 000007
【図４】
2014142604.tif 000008
【図５】
2014142604.tif 000009
【図６】
2014142604.tif 000010
【図７】
2014142604.tif 000011
【図８】
2014142604.tif 000012
【図９】
2014142604.tif 000013
【図１０】
2014142604.tif 000014
【図１１】
2014142604.tif 000015
【図１２】
2014142604.tif 000016
【図１３】
2014142604.tif 000017
【図１４】
2014142604.tif 000018
【図１５】
2014142604.tif 000019
【図１６】
2014142604.tif 000020
【図１７】
2014142604.tif 000021
【図１８】
2014142604.tif 000022
【図１９】
2014142604.tif 000023
【図２０】
2014142604.tif 000024
【図２１】
2014142604.tif 000025